(57)【特許請求の範囲】
【請求項１】
災害又は事故の現場で使用される第１電子ペンによって生成された、トリアージタグに形成されたコード化パターンに関する記入情報と、搬送機関で使用される第２電子ペンによって生成された、前記トリアージタグに形成された前記コード化パターンに関する記入情報とを受信する受信手段と、
前記受信手段によって受信された記入情報に含まれるペンＩＤに基づいて、当該記入情報が前記第１電子ペン及び前記第２電子ペンのいずれによって生成された情報であるかを判定して、その判定結果に基づいて、傷病者を現場から医療機関に収容するまでの状況に応じた傷病者搬送情報を生成する情報生成手段と、を備えることを特徴とするサーバ装置。
【請求項２】
前記情報生成手段は、記入情報が前記第１電子ペンによって生成された情報であると判定した際に、前記傷病者の搬送状況を、前記傷病者に対してトリアージが実施されたことを示すステータスに設定した傷病者搬送情報を生成することを特徴とする請求項１に記載のサーバ装置。
【請求項３】
前記トリアージタグは、一次トリアージを実施するための一次トリアージ実施エリアと、二次トリアージを実施するための二次トリアージ実施エリアとが設けられており、
前記情報生成手段は、
記入情報が前記一次トリアージ実施エリアへの記入に対応する情報である場合には、前記傷病者に対して一次トリアージが実施されたことを示すステータスに前記搬送状況を設定し、
記入情報が前記二次トリアージ実施エリアへの記入に対応する情報である場合には、前記傷病者に対して二次トリアージが実施されたことを示すステータスに前記搬送状況を設定することを特徴とする請求項２に記載のサーバ装置。
【請求項４】
前記情報生成手段は、記入情報が前記第２電子ペンによって生成された情報であると判定した際に、前記傷病者の搬送状況を、前記搬送機関により前記傷病者が搬送中であることを示すステータスに設定した傷病者搬送情報を生成することを特徴とする請求項１乃至３のいずれか一項に記載のサーバ装置。
【請求項５】
前記情報生成手段は、記入情報が前記第２電子ペンによって生成された情報であると判定した際に、当該記入情報に含まれる前記ペンＩＤに応じた搬送機関名を含む傷病者搬送情報を生成することを特徴とする請求項１乃至４のいずれか一項に記載のサーバ装置。
【請求項６】
前記情報生成手段は、記入情報が前記第１電子ペンによって生成された情報であると判定した際に、当該記入情報に含まれる時刻情報に基づいて、前記傷病者に対するトリアージが実施された日付及び時刻を含む傷病者搬送情報を生成することを特徴とする請求項１乃至５のいずれか一項に記載のサーバ装置。
【請求項７】
前記情報生成手段は、記入情報が前記第２電子ペンによって生成された情報であると判定した際に、当該記入情報に含まれる時刻情報に基づいて、前記傷病者を搬送した時刻を含む傷病者搬送情報を生成することを特徴とする請求項１乃至６のいずれか一項に記載のサーバ装置。
【請求項８】
前記受信手段は、医療機関で使用される第３電子ペンによって読み取られた、前記トリアージタグに形成された前記コード化パターンに関する記入情報を更に受信し、
前記情報生成手段は、前記受信手段によって受信された記入情報に含まれるペンＩＤに基づいて、当該記入情報が前記第１電子ペン、前記第２電子ペン及び前記第３電子ペンのいずれによって生成された情報であるかを判定して、その判定結果に基づいて前記傷病者搬送情報を生成することを特徴とする請求項１乃至７のいずれか一項に記載のサーバ装置。
【請求項９】
前記情報生成手段は、記入情報が前記第３電子ペンによって生成された情報であると判定した際に、前記傷病者の搬送状況を、前記医療機関への前記傷病者の収容が完了したことを示すステータスに設定した前記傷病者搬送情報を生成することを特徴とする請求項８に記載のサーバ装置。
【請求項１０】
前記トリアージタグは、前記傷病者を収容する医療機関の名称である医療機関名を記入するための医療機関名記入欄が設けられており、
前記情報生成手段は、
記入情報が前記第２電子ペンによって生成された情報であると判定した際に、当該記入情報に基づいて、前記第２電子ペンによって前記医療機関名記入欄に記入された前記医療機関名を含む傷病者搬送情報を生成し、
記入情報が前記第３電子ペンによって生成された情報であると判定した際に、当該記入情報に含まれる前記ペンＩＤに応じた医療機関名によって、前記医療機関名記入欄に記入された前記医療機関名を変更した傷病者搬送情報を生成することを特徴とする請求項８又は９に記載のサーバ装置。
【請求項１１】
前記情報生成手段は、記入情報が前記第３電子ペンによって生成された情報であると判定した際に、当該記入情報に含まれる時刻情報に基づいて、前記傷病者の収容が完了した時刻を含む前記傷病者搬送情報を生成することを特徴とする請求項８乃至１０のいずれか一項に記載のサーバ装置。
【請求項１２】
前記情報生成手段によって生成された前記傷病者搬送情報を表示させる表示制御手段を更に備えることを特徴とする請求項１乃至１１のいずれか一項に記載のサーバ装置。
【請求項１３】
前記表示制御手段は、複数の傷病者の前記傷病者搬送情報を一覧表示させることを特徴とする請求項１２に記載のサーバ装置。
【請求項１４】
前記表示制御手段は、記入情報に含まれるペンＩＤに応じた表示態様にて、前記傷病者搬送情報を表示させることを特徴とする請求項１２又は１３に記載のサーバ装置。
【請求項１５】
前記表示制御手段は、選択された傷病者について、前記トリアージタグに記入された手書きストロークを更に表示させることを特徴とする請求項１２乃至１４のいずれか一項に記載のサーバ装置。
【請求項１６】
請求項１乃至１５のいずれか一項に記載のサーバ装置として機能させることを特徴とするプログラム。
【請求項１７】
請求項１乃至１５のいずれか一項に記載のサーバ装置と、
コード化パターンが形成されたトリアージタグと、
災害又は事故の現場で使用され、前記トリアージタグに形成された前記コード化パターンに関する記入情報を生成する第１電子ペンと、
搬送機関で使用され、前記トリアージタグに形成された前記コード化パターンに関する記入情報を生成する第２電子ペンと、
消防関連機関及び／又は医療機関で使用され、前記サーバ装置によって生成された前記傷病者搬送情報を受信し、当該傷病者搬送情報を表示させるコンピュータ装置と、を備えることを救急医療支援システム。
【発明の詳細な説明】
【技術分野】
【０００１】
本発明は、救急医療を支援するための技術分野に関する。
【背景技術】
【０００２】
従来から、記入した情報を電子化する電子ペンが開発されており、その代表的なものとしてスウェーデンのＡｎｏｔｏ社が開発した「アノトペン（Ａｎｏｔｏ  ｐｅｎ）」が知られている。例えば、特許文献１には、アノトペンが、用紙に印刷された所定のドットパターンを読み取って記入情報を生成し、当該記入情報を端末装置に送信することが記載されている。また、特許文献２には、ドットパターンに対向する電子ペンの角度に起因するドットの画像上の配列を補正する回転補正処理機能が記載されている。
【０００３】
また、近年、地震や台風やテロ等による大規模災害時の対応システムに、トリアージタグと呼ばれる治療優先度を示す標識タグが用いられている。このようなトリアージタグにドットパターンを形成し、電子ペンを利用して、トリアージタグに記入された内容を電子データ化する技術が提案されている（例えば特許文献３乃至６参照）。
【０００４】
その他にも、本発明に関連する技術が特許文献７乃至１１に記載されている。特許文献７には、１１９番通報者の携帯電話機から、救急車の出動状況確認などの問合せがあった場合に、適切な転送先に自動で転送する技術が記載されている。また、特許文献８乃至１１には、救急患者を受入れ可能な医療機関の決定を支援する技術が記載されている。
【先行技術文献】
【特許文献】
【０００５】
【特許文献１】特許第３８７２４９８号公報
【特許文献２】特表２００３−５２９８５３号公報
【特許文献３】特開２００８−３０５３０１号公報
【特許文献４】特開２００９−１８７１７０号公報
【特許文献５】特開２００９−２１７４４９号公報
【特許文献６】特許第４７３６７８４号公報
【特許文献７】特開２００９−０７１６６９号公報
【特許文献８】特開２０１０−０８６３５７号公報
【特許文献９】特開２０１０−２７７３８３号公報
【特許文献１０】特開２０１１−０４８７７５号公報
【特許文献１１】特開２０１２−００８７７８号公報
【発明の概要】
【発明が解決しようとする課題】
【０００６】
ところで、上記のようなドットパターンが形成されたトリアージタグと電子ペンとを用いたシステムでは、災害や事故などの現場や搬送機関や医療機関において、異なる利用者により、異なる電子ペンを用いてトリアージタグへの記入がなされることが考えられる。したがって、電子ペンからの記入情報に含まれるペンＩＤ（ペン識別情報）に基づいて、傷病者を現場から医療機関に収容するまでの状況に応じた情報を生成することができれば便宜である。そこで、本発明は、トリアージタグと電子ペンとを用いたシステムに関して、電子ペンのペンＩＤに基づいて、傷病者を現場から医療機関に収容するまでの状況に応じた情報を適切に生成することが可能なサーバ装置、救急医療支援システム、及びプログラムを提供することを主な目的とする。
【課題を解決するための手段】
【０００７】
本発明の１つの観点では、サーバ装置は、災害又は事故の現場で使用される第１電子ペンによって生成された、トリアージタグに形成されたコード化パターンに関する記入情報と、搬送機関で使用される第２電子ペンによって生成された、前記トリアージタグに形成された前記コード化パターンに関する記入情報とを受信する受信手段と、前記受信手段によって受信された記入情報に含まれるペンＩＤに基づいて、当該記入情報が前記第１電子ペン及び前記第２電子ペンのいずれによって生成された情報であるかを判定して、その判定結果に基づいて、傷病者を現場から医療機関に収容するまでの状況に応じた傷病者搬送情報を生成する情報生成手段と、を備える。
【０００８】
上記のサーバ装置では、受信手段は、災害や事故などの現場で使用される第１電子ペンによって生成された、トリアージタグに形成されたコード化パターンに関する記入情報と、搬送機関で使用される第２電子ペンによって生成された、トリアージタグに形成されたコード化パターンに関する記入情報とを受信する。第１電子ペンと第２電子ペンとは異なるペンＩＤ（ペン識別情報）を有するものとする。情報生成手段は、受信手段によって受信された記入情報に含まれるペンＩＤに基づいて、当該記入情報が第１電子ペン及び第２電子ペンのいずれによって生成された情報であるかを判定して、その判定結果に基づいて、傷病者を現場から医療機関に収容するまでの状況に応じた傷病者搬送情報を生成する。このようにペンＩＤに基づいて傷病者搬送情報を生成しているのは、トリアージタグへの記入に用いられた電子ペンのペンＩＤからは、現場から医療機関までの過程において電子ペンがどのような段階で使用されたかが分かるからである。つまり、傷病者の搬送状況がどのような段階であるかが分かるからである。上記のサーバ装置によれば、電子ペンのペンＩＤに基づいて、傷病者を現場から医療機関に収容するまでの状況に応じた傷病者搬送情報を適切に生成することができる。
【０００９】
上記のサーバ装置の一態様では、前記情報生成手段は、記入情報が前記第１電子ペンによって生成された情報であると判定した際に、前記傷病者の搬送状況を、前記傷病者に対してトリアージが実施されたことを示すステータスに設定した傷病者搬送情報を生成する。この態様では、第１電子ペンのペンＩＤを含む記入情報が受信された際に、トリアージが実施されたことを示すステータスに適切に設定することができる。
【００１０】
上記のサーバ装置において好適には、前記トリアージタグは、一次トリアージを実施するための一次トリアージ実施エリアと、二次トリアージを実施するための二次トリアージ実施エリアとが設けられており、前記情報生成手段は、記入情報が前記一次トリアージ実施エリアへの記入に対応する情報である場合には、前記傷病者に対して一次トリアージが実施されたことを示すステータスに前記搬送状況を設定し、記入情報が前記二次トリアージ実施エリアへの記入に対応する情報である場合には、前記傷病者に対して二次トリアージが実施されたことを示すステータスに前記搬送状況を設定する。これにより、一次トリアージが実施されたステータスと、二次トリアージが実施されたステータスとを適切に区別することができる。
【００１１】
上記のサーバ装置の他の一態様では、前記情報生成手段は、記入情報が前記第２電子ペンによって生成された情報であると判定した際に、前記傷病者の搬送状況を、前記搬送機関により前記傷病者が搬送中であることを示すステータスに設定した傷病者搬送情報を生成する。この態様では、第２電子ペンのペンＩＤを含む記入情報が受信された際に、傷病者が搬送中であることを示すステータスに適切に設定することができる。
【００１２】
上記のサーバ装置の他の一態様では、前記情報生成手段は、記入情報が前記第２電子ペンによって生成された情報であると判定した際に、当該記入情報に含まれる前記ペンＩＤに応じた搬送機関名を含む傷病者搬送情報を生成する。このように生成された搬送機関名によっても、傷病者が搬送中であるといったステータスを指し示すことが可能となる。
【００１３】
上記のサーバ装置において好適には、前記情報生成手段は、記入情報が前記第１電子ペンによって生成された情報であると判定した際に、当該記入情報に含まれる時刻情報に基づいて、前記傷病者に対するトリアージが実施された日付及び時刻を含む傷病者搬送情報を生成することができる。
【００１４】
また好適には、前記情報生成手段は、記入情報が前記第２電子ペンによって生成された情報であると判定した際に、当該記入情報に含まれる時刻情報に基づいて、前記傷病者を搬送した時刻を含む傷病者搬送情報を生成することができる。
【００１５】
上記のサーバ装置の他の一態様では、前記受信手段は、前記医療機関で使用される第３電子ペンによって読み取られた、前記トリアージタグに形成された前記コード化パターンに関する記入情報を更に受信し、前記情報生成手段は、前記受信手段によって受信された記入情報に含まれるペンＩＤに基づいて、当該記入情報が前記第１電子ペン、前記第２電子ペン及び前記第３電子ペンのいずれによって生成された情報であるかを判定して、その判定結果に基づいて傷病者搬送情報を生成する。第１電子ペン、第２電子ペン及び第３電子ペンは、互いに異なるペンＩＤを有しているものとする。
【００１６】
上記のサーバ装置の他の一態様では、前記情報生成手段は、記入情報が前記第３電子ペンによって生成された情報であると判定した際に、前記傷病者の搬送状況を、前記医療機関への前記傷病者の収容が完了したことを示すステータスに設定した傷病者搬送情報を生成する。この態様では、第３電子ペンのペンＩＤを含む記入情報が受信された際に、傷病者の収容が完了したことを示すステータスに適切に設定することができる。
【００１７】
上記のサーバ装置の他の一態様では、前記トリアージタグは、前記傷病者を収容する医療機関の名称である医療機関名を記入するための医療機関名記入欄が設けられており、前記情報生成手段は、記入情報が前記第２電子ペンによって生成された情報であると判定した際に、当該記入情報に基づいて、前記第２電子ペンによって前記医療機関名記入欄に記入された前記医療機関名を含む傷病者搬送情報を生成し、記入情報が前記第３電子ペンによって生成された情報であると判定した際に、当該記入情報に含まれる前記ペンＩＤに応じた医療機関名によって、前記医療機関名記入欄に記入された前記医療機関名を変更した傷病者搬送情報を生成する。これにより、第２電子ペンによる記入後に傷病者を収容する医療機関が変更された場合に対して、適切に対応することが可能となる。
【００１８】
上記のサーバ装置において好適には、前記情報生成手段は、記入情報が前記第３電子ペンによって生成された情報であると判定した際に、当該記入情報に含まれる時刻情報に基づいて、前記傷病者の収容が完了した時刻を含む傷病者搬送情報を生成する。
【００１９】
また好適には、前記情報生成手段によって生成された前記傷病者搬送情報を表示させる表示制御手段を更に備える。好ましくは、前記表示制御手段は、複数の傷病者の前記傷病者搬送情報を一覧表示させる。これにより、複数の傷病者の傷病者搬送情報を容易に把握させることができる。
【００２０】
また好ましくは、前記表示制御手段は、記入情報に含まれるペンＩＤに応じた表示態様にて、前記傷病者搬送情報を表示させることができる。これにより、傷病者のステータス（搬送状況）を容易に把握させることが可能となる。
【００２１】
また好ましくは、前記表示制御手段は、選択された傷病者について、前記トリアージタグに記入された手書きストロークを更に表示させることができる。
【００２２】
本発明の他の観点では、プログラムは、上記サーバ装置として機能させる。当該プログラムを実行することにより、上記のサーバ装置を実現することができる。
【００２３】
本発明の更に他の観点では、救急医療支援システムは、上記サーバ装置と、コード化パターンが形成されたトリアージタグと、災害又は事故の現場で使用され、前記トリアージタグに形成された前記コード化パターンに関する記入情報を生成する第１電子ペンと、搬送機関で使用され、前記トリアージタグに形成された前記コード化パターンに関する記入情報を生成する第２電子ペンと、消防関連機関及び／又は医療機関で使用され、前記サーバ装置によって生成された前記傷病者搬送情報を受信し、当該傷病者搬送情報を表示させるコンピュータ装置と、を備える。
【発明の効果】
【００２４】
本発明によれば、電子ペンのペンＩＤに基づいて、傷病者を現場から医療機関に収容するまでの状況に応じた傷病者搬送情報を適切に生成することができる。
【図面の簡単な説明】
【００２５】
【図１】本実施形態に係る救急医療支援システムのシステム構成図である。
【図２】本実施形態に係るトリアージタグを示す。
【図３】ドットパターンにおけるドットの配置と変換される値との関係を示す説明図である。
【図４】（ａ）はドットパターンを模式的に示し、（ｂ）はそれに対応する情報の例を示す図である。
【図５】電子ペンの構造を示す概略図である。
【図６】サーバ装置の機能ブロック図である。
【図７】傷病者搬送情報画面の具体例を示す図である。
【発明を実施するための形態】
【００２６】
以下、図面を参照しながら、本発明の実施の形態について説明する。
【００２７】
［救急医療支援システムの構成］
図１は、本実施形態に係る救急医療支援システム１０のシステム構成図である。図１に示すように、救急医療支援システム１０は、電子ペン１ａ、１ｂ、１ｃ（１）と、トリアージタグ２と、携帯端末３ａ、３ｂ、３ｃ（３）と、サーバ装置４と、コンピュータ装置５、６とを有する。
【００２８】
電子ペン１ａ（第１電子ペンに相当する）及び携帯端末３ａは災害や事故などの現場で使用され、電子ペン１ｂ（第２電子ペンに相当する）及び携帯端末３ｂは搬送機関（救急車など）で使用され、電子ペン１ｃ（第３電子ペンに相当する）及び携帯端末３ｃは医療機関で使用される。図１では、電子ペン１ａ〜１ｃを１本のみ示しているが、実際には電子ペン１ａ〜１ｃはそれぞれ複数本用意される。コンピュータ装置５は、消防関連機関（消防本部や消防署など）で使用され、コンピュータ装置６は、医療機関で使用される。コンピュータ装置５、６は、ネットワーク（例えばインターネット）を介してサーバ装置４に接続される。
【００２９】
トリアージタグ２は、傷病者の緊急度や重傷度に応じて適切な処置や搬送を行うべく、傷病者の治療優先度を決定するために利用され、電子ペン１により読み取り可能なドットパターン（コード化パターン）が印刷されている。電子ペン１は、トリアージタグ２への記入に対応する記入情報を、Ｂｌｕｅｔｏｏｔｈ（登録商標）等の無線通信方式で携帯端末３に送信する。なお、電子ペン１ａ、１ｂ、１ｃは、互いに異なるペンＩＤ（ペン識別情報）を有している。
【００３０】
携帯端末３は、電子ペン１から受信した記入情報を、携帯電話通信網（例えばＩＰパケット通信）やインターネット通信網などのネットワークを介してサーバ装置４に送信する。例えば、携帯端末３は、スマートフォンである。サーバ装置４は、携帯端末３から受信した記入情報に応じた情報を生成し、生成した情報をコンピュータ装置５、６に送信する。例えば、サーバ装置４は、消防関連機関ないし医療機関、あるいは双方に設けられる。
【００３１】
ここで、トリアージタグ２は、傷病者に取り付けられることで、傷病者と共に現場から搬送機関を介して医療機関に移動され、このような過程において電子ペン１による記入がなされる。基本的には、まず最初に現場にて電子ペン１ａによってトリアージタグ２への記入がなされ、その後に搬送機関による搬送中に電子ペン１ｂによってトリアージタグ２への記入がなされ、最後に医療機関にて電子ペン１ｃによってトリアージタグ２への記入がなされる。
【００３２】
サーバ装置４は、このような電子ペン１による記入に対応する記入情報を受信して、記入情報に含まれるペンＩＤに基づいて、当該記入情報が電子ペン１ａ〜１ｃのいずれによって生成された情報であるかを判定する。そして、サーバ装置４は、その判定結果に基づいて、傷病者を現場から医療機関に収容するまでの状況に応じた傷病者搬送情報を生成し、生成した傷病者搬送情報をコンピュータ装置５、６に送信する。
【００３３】
［トリアージタグ］
図２を参照して、本実施形態に係るトリアージタグ２について説明する。図２（ａ）は、トリアージタグ２の表側を示しており、図２（ｂ）は、トリアージタグ２の裏側を示している。なお、「トリアージ」とは、大事故や災害時のように多数の傷病者が同時に発生した場合、限られた救急医療条件で最大限の救命を行えるように、傷病者の緊急度や重傷度に応じて適切な処置や搬送を行うため、傷病者の治療優先度（トリアージ区分）を設定することを意味する。
【００３４】
図２（ａ）に示すように、トリアージタグ２の表側には、傷病者の氏名を記入するための氏名記入欄２ａと、傷病者の性別を選択するための性別選択欄２ｂと、傷病者の電話番号を記入するための電話番号記入欄２ｃと、傷病者の年齢を記入するための年齢記入欄２ｄと、傷病者の住所を記入するための住所記入欄２ｅと、傷病者に対するトリアージを実施した月日（日付）及び時刻を記入するためのトリアージ実施月日・時刻記入欄２ｆと、トリアージの実施者を記入するための実施者記入欄２ｇと、搬送機関の名称を記入するための搬送機関名記入欄２ｈと、傷病者を収容する医療機関の名称を記入するための収容医療機関名記入欄２ｉと、一次トリアージを実施するための一次トリアージ実施エリア２ｊと、電子ペン１によって生成された記入情報を送信するための送信ボックス２ｋと、標識部２ｍとが設けられている。なお、トリアージタグ２の表側にメモなどを記入するための備考欄を更に設けても良い。
【００３５】
トリアージタグ２には、略全面に、位置座標を示すアノト方式のドットパターン（コード化パターン）が印刷されている。ドットパターンは、赤外線を吸収するカーボンを含んだインキにより印刷され、文字や枠線などは、赤外域に吸収性を持たないインキにより印刷される。なお、トリアージタグ２を区別するために、トリアージタグ２ごとに異なる座標範囲のドットパターンが印刷されている。
【００３６】
一次トリアージ実施エリア２ｊには、傷病者の症状を判定するための判定項目が複数記載されており、そのような判定項目を用いた判定によってトリアージ区分を選択するためのトリアージ区分選択欄２ｊ１が設けられている。「０」のトリアージ区分は死亡群を示しており、「I」のトリアージ区分は重症群を示しており、「II」のトリアージ区分は中等症群を示しており、「III」のトリアージ区分は軽症群を示している。
【００３７】
標識部２ｍは、一瞥して傷病の状態を認識できるようにトリアージ区分により色分けされている。標識部２ｍは、黒色ラベルに「０」と印字された死亡群、赤色ラベルに「I」と印字された重症群、黄色ラベルに「II」と印字された中等症群、及び緑色ラベルに「III」と印字された軽症群の４つから構成されており、各ラベルの境界に形成された破線（ミシン目）で切り離しできるように加工されている。トリアージタグ２の利用者は、傷病者のトリアージ区分に該当するラベルを残して、標識部２ｍを切り離すことで、傷病者の症状を示す識別票として使用する。例えば、傷病者の症状が「I」の重症群であると判断される場合は、標識部２ｍの「II」及び「III」の部分を切り離すこととなる。
【００３８】
送信ボックス２ｋは、トリアージタグ２に電子ペン１により記入された内容に対応する記入情報を、電子ペン１から携帯端末３を経由してサーバ装置４へ送信する処理を実行させるための指示が定義されたエリアである。基本的には、送信ボックス２ｋは、一次トリアージが実施された後に電子ペン１によってタップされる。
【００３９】
次に、図２（ｂ）に示すように、トリアージタグ２の裏側には、特記事項を記入するための特記事項記入欄２ｎと、二次トリアージを実施するための二次トリアージ実施エリア２ｐと、電子ペン１によって生成された記入情報を送信するための送信ボックス２ｑとが設けられている。なお、標識部２ｍは表側と同様のものである。
【００４０】
二次トリアージ実施エリア２ｐは、傷病者の症状が「I」のトリアージ区分（重症群）に該当するか否かを詳細に判定するための判定項目（生理学的・解剖学的な判定項目）が複数記載されている。ここで、一次トリアージ（所謂ふるい分けトリアージ）では、迅速処理の観点から、優先的に搬送すべき傷病者（「I」や「II」のトリアージ区分に該当する傷病者）を特定するために実施される。通常、一次トリアージは、災害等の現場で実施される。これに対して、二次トリアージ（所謂並べ替えトリアージ）では、詳細に傷病者を評価して、より精度の高いカテゴリに分類しながら、同一カテゴリの中でも治療や搬送を優先させるべき傷病者を選別するために実施される。通常、二次トリアージは、一次トリアージの実施後において複数回実施される。二次トリアージは、現場だけでなく、搬送機関や医療機関でも実施され得る。
【００４１】
送信ボックス２ｑは、トリアージタグ２に電子ペン１により記入された内容に対応する記入情報を、電子ペン１から携帯端末３を経由してサーバ装置４へ送信する処理を実行させるための指示が定義されたエリアである。基本的には、送信ボックス２ｑは、二次トリアージが実施された後に電子ペン１によってタップされる。
【００４２】
ここで、トリアージタグ２が異なっても、送信ボックス２ｋのドットパターンは同じであってよく、送信ボックス２ｑのドットパターンもトリアージタグ２に共通して同じであってよい。送信ボックス２ｋのドットパターンと送信ボックス２ｑのドットパターンは異なるものであってもよく、同じであってもよい。
【００４３】
［ドットパターン］
次に、図３及び図４を参照しながら、トリアージタグ２に印刷されたアノト方式のドットパターン（コード化パターン）について説明する。図３は、トリアージタグ２に印刷されたドットパターンのドットと、そのドットが変換される値との関係を説明する図である。図３に示すように、ドットパターンの各ドットは、その位置によって所定の値に対応付けられている。すなわち、ドットの位置を格子の基準位置（縦線及び横線の交差点）から上下左右のどの方向にシフトするかによって、各ドットは、０〜３の値に対応付けられている。また、各ドットの値は、さらに、Ｘ座標用の第１ビット値及びＹ座標用の第２ビット値に変換できる。このようにして対応付けられた情報の組み合わせにより、トリアージタグ２上の位置座標が決定されるように構成されている。
【００４４】
図４（ａ）は、あるドットパターンの配列を示している。図４（ａ）に示すように、縦横約２ｍｍの範囲内に６×６個のドットが、トリアージタグ２上のどの部分から６×６ドットを取っても、ユニークなパターンとなるように配置されている。これら３６個のドットにより形成されるドットパターンは位置座標（例えば、そのドットパターンがトリアージタグ２上のどの位置にあるのか）を保持している。図４（ｂ）は、図４（ａ）に示す各ドットを、格子の基準位置からのシフト方向によって、図３に示す規則性に基づいて、対応づけられた値に変換したものである。この変換は、ドットパターンの画像を撮影する電子ペン１によって行われる。
【００４５】
［電子ペン］
次に、電子ペン１について図５を用いて説明する。図５は、電子ペン１の構造を示す概略図である。図５に示すように、電子ペン１は、その筐体１０１の内部に、インクカートリッジ１０４、ＬＥＤ１０５、ＣＭＯＳカメラ１０６、圧力センサ１０７、ＣＰＵ等により構成されるプロセッサ１０８、ＲＯＭやＲＡＭといったメモリ１０９、リアルタイムクロック１１０、アンテナ等により構成される通信ユニット１１１、及びバッテリー１１２を備える。インクカートリッジ１０４の先端はペン先部１０３となっており、利用者は、電子ペン１のペン先部１０３をトリアージタグ２に当接させて、トリアージタグ２にストローク（手書きストローク）を記入したり、電子ペン１のペン先部１０３をトリアージタグ２に当接させて、タップ（ペン先部１０３によるトリアージタグ２への軽叩）したりする。インクカートリッジ１０４のインクは、赤外線を吸収する材料（例えばカーボン）を含まないようにする。ここで、電子ペン１のペン先部１０３がトリアージタグ２に接触することをペンダウンと呼び、接触している（当接している）状態からペン先部１０３が離れることをペンアップと呼ぶ。電子ペン１のペンダウンからペンアップまでの間に記入される軌跡が１つのストロークとなり、文字や図形等は、１つ又は複数個のストロークからなる。インクカートリッジ１０４のインクは、赤外線を吸収する材料を含まないので、プロセッサ１０３によるドットパターンの読取りを阻害しない。
【００４６】
バッテリー１１２は電子ペン１内の各部品に電力を供給するためのものであり、例えば電子ペン１のキャップ（図示せず）の脱着により電子ペン１自体の電源のオン／オフを行うよう構成させてもよい。リアルタイムクロック１１０は、現在時刻（タイムスタンプ）を示す時刻情報を発信し、プロセッサ１０８に供給する。圧力センサ１０７は、利用者が電子ペン１によりトリアージタグ２に手書きストロークを記入したりタップしたりする際にペン先部１０３からインクカートリッジ１０４を通じて与えられる圧力、即ち筆圧を検出し、その値をプロセッサ１０８へ伝送する。
【００４７】
プロセッサ１０８は、圧力センサ１０７から与えられる筆圧データに基づいて、ＬＥＤ１０５及びＣＭＯＳカメラ１０６のスイッチのオン／オフを切替える。即ち、利用者が電子ペン１によりトリアージタグ２に手書きストロークを記入したりタップしたりすると、ペン先部１０３に筆圧がかかり、圧力センサ１０７によって所定値以上の筆圧が検出されたときに、プロセッサ１０８は、利用者が記入を開始したと判定して、ＬＥＤ１０５及びＣＭＯＳカメラ１０６を作動させる。そして、通信ユニット１１１が、圧力センサ１０７により検出されたペンダウン情報ＰＤと、後述するペンＩＤとを関連付けて、記入情報としてメモリ１０９に記憶する。また、利用者が１つのストロークを記入中は、後述のように、プロセッサ１０８は、リアルタイムクロック１１０から発信される現在時刻（タイムスタンプ：記入された時刻情報）、筆圧データ及びＸ、Ｙ座標データを関連付けて、メモリ１０９に記憶する。利用者が１つのストロークを記入し終えて電子ペン１をトリアージタグ２から離すと、圧力センサ１０７は、所定値以上の筆圧が検出されなくなることでペンアップを検出する。すると、プロセッサ１０８は、圧力センサ１０７により検出されたペンアップ情報とペンＩＤとを関連付けて、記入情報としてメモリ１０９に記憶する。そして、プロセッサ１０８は、電子ペン１によってトリアージタグ２の送信ボックス２ｆ、２ｑがタップされた際に、その送信ボックス２ｆ、２ｑのドットパターンから送信指示を認識して、メモリ１０９に記憶した記入情報を、通信ユニット１１１に携帯端末３へ送信させる。プロセッサ１０８は、携帯端末３へ送信させた記入情報を適時に消去する。
【００４８】
ＬＥＤ１０５とＣＭＯＳカメラ１０６は、電子ペン１のペン先部１０３付近に取り付けられており、筐体１０１におけるＬＥＤ１０５及びＣＭＯＳカメラ１０６と対向する部分には、開口部１０２が形成されている。ＬＥＤ１０５は、トリアージタグ２上のペン先部１０３近傍に向けて赤外線を照明する。その領域は、ペン先部１０３がトリアージタグ２に接触する位置とはわずかにずれている。ＣＭＯＳカメラ１０６は、赤外線を透過し赤外線以外を遮断する赤外線透過フィルタが設けられており、ＬＥＤ１０５によって照明された領域内におけるドットパターンを撮影し、そのドットパターンの画像データをプロセッサ１０８に供給する。ここで、カーボンは赤外線を吸収するため、ＬＥＤ１０５によって照射された赤外線は、ドットに含まれるカーボンによって吸収される。そのため、ドットの部分は、赤外線の反射量が少なく、ドット以外の部分は赤外線の反射量が多い。ＣＭＯＳカメラ１０６の撮影により、赤外線の反射量の違いから閾値を設けることによって、カーボンを含むドットの領域とそれ以外の領域を区別することができる。したがって、トリアージタグ２に文字や枠線などが印刷されていた場合でも、印刷したインクは赤外域に吸収性を持たないため、プロセッサ１０８は、ドットパターンを認識することができる。なお、ＣＭＯＳカメラ１０６による撮影領域は、図４（ａ）に示すような約２ｍｍ×約２ｍｍの大きさを含む範囲であり、ＣＭＯＳカメラ１０６の撮影は毎秒５０〜１００回程度の定間隔で行われる。また、ＣＭＯＳカメラ１０６は、ドットを鮮明に撮影するため、十分な被写界深度を有している。
【００４９】
プロセッサ１０８は、利用者による記入が行われる間、ＣＭＯＳカメラ１０６によって供給される画像データのドットパターンから、利用者が記入するストローク（筆跡）のトリアージタグ２上におけるＸ、Ｙ座標（以後、単に「位置座標」または「座標情報」とも呼ぶ。）を連続的に演算していく。すなわち、プロセッサ１０８は、ＣＭＯＳカメラ１０６によって供給される、図４（ａ）に示されるようなドットパターンの画像データを図４（ｂ）に示すデータ配列に変換し、さらに、Ｘ座標ビット値・Ｙ座標ビット値に変換して、そのデータ配列から所定の演算方法によりＸ、Ｙ座標データを演算する。なお、プロセッサ１０８は、ドットパターンに対向する電子ペン１の角度に起因するドットの画像上の配列を補正する回転補正処理機能を備えており、座標演算の際、その機能を発揮させる。そして、プロセッサ１０８は、リアルタイムクロック１１０から発信される現在時刻（タイムスタンプ：記入された時刻情報）、筆圧データ及びＸ、Ｙ座標データを関連付ける。以後、これらの関連付けたデータを、まとめて「座標属性情報」と呼ぶ。また、プロセッサ１０８は、演算した位置座標がトリアージタグ２の送信ボックス２ｆ、２ｑのドットパターンを示す場合、送信指示と認識して、通信ユニット１１１に記入情報を携帯端末３へ送信させる。なお、トリアージタグ２における６×６のドットパターンは、トリアージタグ２内で重複することはないため、利用者が電子ペン１で文字等を記入すると、記入された位置がトリアージタグ２のどの位置に当たるかを、プロセッサ１０８による座標演算により特定することができる。
【００５０】
メモリ１０９には、各電子ペン１Ａ〜１Ｅを識別するためのそれぞれのペンＩＤ「ｐｅｎ０１」〜「ｐｅｎ０５」、ペン製造者番号、ペンソフトウェアのバージョン等のプロパティ情報が記憶されている。そして、通信ユニット１１１は、ペンＩＤと、時刻情報（タイムスタンプ）と、筆圧データと、Ｘ、Ｙ座標データとを関連付けて、記入情報として、携帯端末３を介してサーバ装置４へ送信する。通信ユニット１１１による携帯端末３への送信は、Ｂｌｕｅｔｏｏｔｈ（登録商標）などの無線送信によって、即時的かつ逐次的に行われる。ここで、電子ペン１のペンダウンからペンアップまでの間に生成されて送信された１個又は複数個の座標属性情報は、携帯端末３及びサーバ装置４によりストローク情報として記憶される。換言すると、１つのストロークは、１個又は複数個のＸ、Ｙ座標（座標点）からなり、携帯端末３及びサーバ装置４は、ペンダウン情報及びペンアップ情報によって、１つのストロークを構成する１個又は複数個の座標属性情報を認識する。
【００５１】
［サーバ装置］
次に、サーバ装置４について説明する。サーバ装置４は、ハードウェアとして、ＣＰＵ等のプロセッサ、ＲＯＭやＲＡＭといったメモリ等で構成される。図６は、サーバ装置４の機能ブロック図である。サーバ装置４は、機能的には、処理手段４４、記憶手段４５、通信手段４７及び通信インターフェース４８を備える。
【００５２】
通信手段４７は、携帯電話網（例えばＩＰパケット通信）やインターネットなどのネットワークを介して携帯端末３と通信を行う。通信手段４７は、電子ペン１によって生成された記入情報を携帯端末３から受信する。なお、通信手段４７は、本発明における「受信手段」の一例である。
【００５３】
通信インターフェース４８は、ネットワーク（インターネットなど）を介して、消防関連機関で使用されるコンピュータ装置５及び医療機関で使用されるコンピュータ装置６に接続する。通信インターフェース４８は、後述する処理手段４４によって生成された表示画面の情報をコンピュータ装置５、６に送信する。
【００５４】
記憶手段４５は、ＲＯＭ、ＲＡＭといったメモリによって構成され、処理手段４４の指示により、プログラムの実行により生成される各種情報を記憶する。記憶手段４５は、トリアージタグ２に印刷されたドットパターンの座標範囲に関する座標定義情報を記憶している。また、記憶手段４５は、電子ペン１ａ、１ｂ、１ｃのそれぞれのペンＩＤと、電子ペン１が使用される状況（具体的には現場、搬送機関及び医療機関）、言い換えると傷病者の搬送状況を示すステータスとを対応付けた情報（以下では「ステータス情報」と呼ぶ。）を記憶している。ステータス情報では、電子ペン１ａのペンＩＤと「一次トリアージ完了」及び「二次トリアージ完了」といったステータスとが対応付けられ、電子ペン１ｂのペンＩＤと「搬送中」といったステータスとが対応付けられ、電子ペン１ｃのペンＩＤと「収容完了」といったステータスとが対応付けられている。
【００５５】
なお、前述したように電子ペン１ａ〜１ｃは複数本存在するため、１つの例では、使用される複数の電子ペン１ａ〜１ｃの各々についてステータスが対応付けられたステータス情報を用いて、傷病者の搬送状況を示すステータスが特定される。他の例では、複数の電子ペン１が電子ペン１ａ〜１ｃのいずれに該当するかを判別するための情報を更に記憶しておき、そのような情報を用いて電子ペン１が電子ペン１ａ〜１ｃのいずれに該当するかを判別し、その判別結果とステータス情報とに基づいて、傷病者の搬送状況を示すステータスが特定される。
【００５６】
また、記憶手段４５は、搬送機関で使用される電子ペン１ｂのペンＩＤと、電子ペン１ｂの利用者の所属先である搬送機関名（例えば消防署の名称）とを対応付けた情報（以下では「搬送機関名情報」と呼ぶ。）を記憶している。各搬送機関が電子ペン１ｂを使用する場合は、電子ペンごとにペンＩＤが異なるため、記憶手段４５は、電子ペンのペンＩＤと搬送機関名とを対応付けて記憶している。加えて、記憶手段４５は、医療機関で使用される電子ペン１ｃのペンＩＤと、電子ペン１ｃの利用者の所属先である医療機関名（例えば病院の名称）とを対応付けた情報（以下では「医療機関名情報」と呼ぶ。）を記憶している。各医療機関が電子ペン１ｃを使用する場合も、電子ペンごとにペンＩＤが異なるため、記憶手段４５は、電子ペンのペンＩＤと医療機関名とを対応付けて記憶している。
【００５７】
更に、記憶手段４５は、処理手段４４の処理命令により、携帯端末３を介して電子ペン１から受信した記入情報をペンＩＤ毎に記憶し、さらに、処理手段４４の指示により、記憶領域を確保して、ペンダウンからペンアップまでの記入情報に含まれる座標属性情報をストローク情報としてペンＩＤ毎に記憶する。
【００５８】
処理手段４４は、ＣＰＵ等のプロセッサによって構成され、サーバ装置４の全体の制御を行う。処理手段４４は、機能的には、情報生成手段４４１及び表示制御手段４４２を有する。情報生成手段４４１は、通信手段４７によって受信された記入情報に含まれるペンＩＤに基づいて、当該記入情報が電子ペン１ａ〜１ｃのいずれによって生成された情報であるかを判定して、その判定結果に基づいて、傷病者を医療機関に収容するまでの状況に応じた傷病者搬送情報を生成する。
【００５９】
情報生成手段４４１は、記憶手段４５に記憶されたステータス情報を参照することで、通信手段４７によって受信された記入情報に含まれるペンＩＤに応じたステータス（搬送状況）に設定した傷病者搬送情報を生成する。具体的には、情報生成手段４４１は、記入情報が現場で使用される電子ペン１ａによって生成された情報である場合、つまり記入情報に含まれるペンＩＤが電子ペン１ａに対応するものである場合には、傷病者に対してトリアージが実施されたことを示す「一次トリアージ完了」又は「二次トリアージ完了」にステータスを設定した傷病者搬送情報を生成する。この場合、情報生成手段４４１は、記入情報がトリアージタグ２の一次トリアージ実施エリア２ｊへの記入に対応する情報である場合、一次トリアージが実施されたことを示す「一次トリアージ完了」にステータスを設定する。情報生成手段４４１は、電子ペン１ａによって送信ボックス２ｋがタップされた場合に、一次トリアージが実施されたことを示す「一次トリアージ完了」にステータスを設定するようにしてもよい。これに対して、情報生成手段４４１は、記入情報がトリアージタグ２の二次トリアージ実施エリア２ｐへの記入に対応する情報である場合、二次トリアージが実施されたことを示す「二次トリアージ完了」にステータスを設定する。情報生成手段４４１は、電子ペン１ａによって送信ボックス２ｑがタップされた場合に、二次トリアージが実施されたことを示す「二次トリアージ完了」にステータスを設定するようにしてもよい。基本的には、二次トリアージは一次トリアージの後に実施されるため、情報生成手段４４１は、「一次トリアージ完了」から「二次トリアージ完了」にステータスを変更することとなる。なお、二次トリアージは実施されない場合もあり、その場合には「二次トリアージ完了」といったステータスには設定されない。
【００６０】
また、情報生成手段４４１は、記入情報が搬送機関で使用される電子ペン１ｂによって生成された情報である場合、つまり記入情報に含まれるペンＩＤが電子ペン１ｂに対応するものである場合には、搬送機関により傷病者が搬送中であることを示す「搬送中」にステータスを設定した傷病者搬送情報を生成する。この場合、情報生成手段４４１は、「一次トリアージ完了」又は「二次トリアージ完了」から「搬送中」にステータスを変更する。更に、情報生成手段４４１は、記入情報が医療機関で使用される電子ペン１ｃによって生成された情報である場合、つまり記入情報に含まれるペンＩＤが電子ペン１ｃに対応するものである場合には、医療機関への傷病者の収容が完了したことを示す「収容完了」にステータスを設定した傷病者搬送情報を生成する。この場合、情報生成手段４４１は、「搬送中」から「収容完了」にステータスを変更する。なお、「搬送中」及び「収容完了」のステータスを設定している際に二次トリアージが実施される場合があるが、その場合には、情報生成手段４４１は、「搬送中」及び「収容完了」のステータスを維持し、「二次トリアージ完了」へステータスを変更しない。
【００６１】
情報生成手段４４１は、以上に述べたステータス以外にも、種々の傷病者搬送情報を生成するが、それらについて詳細は後述する。
【００６２】
表示制御手段４４２は、上記のように情報生成手段４４１によって生成された傷病者搬送情報をコンピュータ装置５、６に表示させるための処理を行う。具体的には、表示制御手段４４２は、傷病者搬送情報を表示させるための表示画面（以下では適宜「傷病者搬送情報画面」と呼ぶ。）を生成する。また、表示制御手段４４２は、傷病者搬送情報画面にて利用者によって傷病者が選択された際に、選択された傷病者について、トリアージタグ２に記入された手書きストロークを表示させるための表示画面を生成する。通信インターフェース４８は、このようにして表示制御手段４４２によって生成された表示画面の情報をコンピュータ装置５、６に送信する。
【００６３】
［表示画面例］
次に、図７を参照して、傷病者搬送情報画面の具体例について説明する。前述したように、傷病者搬送情報画面は、情報生成手段４４１によって生成された傷病者搬送情報に基づいて表示制御手段４４２によって生成されるものであり、消防関連機関で使用されるコンピュータ装置５や医療機関で使用されるコンピュータ装置６の表示手段に表示される。
【００６４】
図７に示すように、傷病者搬送情報画面では、複数の傷病者についての傷病者搬送情報が一覧にて表示される。具体的には、傷病者搬送情報画面では、傷病者搬送情報として、トリアージ区分７１と、傷病者の氏名７２と、傷病者の年齢７３と、傷病者の性別７４と、トリアージ実施月日・時刻７５と、搬送機関名７６と、医療機関名７７と、ステータス７８とが表示される。
【００６５】
トリアージ区分７１については、情報生成手段４４１は、トリアージタグ２のトリアージ区分選択欄２ｊ１への電子ペン１による記入（タップ）に対応する記入情報に基づいて、このようなトリアージ区分７１についての情報を生成する。この場合、情報生成手段４４１は、電子ペン１によってトリアージ区分選択欄２ｊ１に記入（タップ）されるごとに、トリアージ区分７１についての情報を更新する。表示制御手段４４２は、トリアージ区分を示す「I」「II」、「III」のうち、情報生成手段４４１により更新される最新のトリアージ区分を表示させる共に、トリアージ区分に応じた色（赤色、緑色、黄色）を付して表示させる。
【００６６】
傷病者の氏名７２及び年齢７３については、情報生成手段４４１は、トリアージタグ２の氏名記入欄２ａ及び年齢記入欄２ｄに電子ペン１で記入された手書きストロークに対して文字認識処理を行うことで、これらの情報を生成する。そして、表示制御手段４４２は、情報生成手段４４１による文字認識処理によって得られた文字を、傷病者の氏名７２及び年齢７３として表示させる。なお、傷病者の氏名７２及び年齢７３として、文字認識処理によって得られた文字を表示させる代わりに、氏名記入欄２ａ及び年齢記入欄２ｄに電子ペン１で記入された手書きストロークをそのまま表示させても良い。
【００６７】
傷病者の性別７４については、情報生成手段４４１は、トリアージタグ２の性別選択欄２ｂにて電子ペン１により選択された性別を特定することで、性別７４の情報を生成する。そして、表示制御手段４４２は、情報生成手段４４１によって特定された性別を、性別７４として表示させる。
【００６８】
トリアージ実施月日・時刻７５については、情報生成手段４４１は、トリアージタグ２の一次トリアージ実施エリア２ｊ、二次トリアージ実施エリア２ｐないしはトリアージ区分選択欄２ｊ１への記入に対応する記入情報に含まれる時刻情報に基づいて、その情報を生成する。例えば、情報生成手段４４１は、電子ペン１ａによるトリアージタグ２の一次トリアージ実施エリア２ｊ、二次トリアージ実施エリア２ｐないしはトリアージ区分選択欄２ｊ１への記入に対応する記入情報において、最初の記入情報（最初の記入情報に限定されず、電子ペン１ａによるトリアージタグ２への記入開始付近の記入情報でも良い）に含まれる時刻情報に応じた月日及び時刻を用いて、トリアージ実施月日・時刻７５についての情報を生成する。そして、表示制御手段４４２は、こうして情報生成手段４４１によって生成された月日及び時刻を、トリアージ実施月日・時刻７５として表示させる。
【００６９】
なお、記入情報に含まれる時刻情報に基づいてトリアージ実施月日・時刻７５の情報を生成する代わりに、トリアージタグ２のトリアージ実施月日・時刻記入欄２ｆへの電子ペン１ａによる記入に対応する記入情報に基づいて、トリアージ実施月日・時刻７５の情報を生成しても良い。この場合、トリアージ実施月日・時刻記入欄２ｆに電子ペン１ａで記入された手書きストロークをそのままトリアージ実施月日・時刻７５として表示させても良いし、当該手書きストロークに対して文字認識処理を行うことで得られた文字をトリアージ実施月日・時刻７５として表示させても良い。
【００７０】
搬送機関名７６については、情報生成手段４４１は、記憶手段４５に記憶された搬送機関名情報を参照して、搬送機関で使用される電子ペン１ｂによって生成された記入情報に含まれるペンＩＤに対応する搬送機関名を特定することで、搬送機関名７６の情報を生成する。そして、表示制御手段４４２は、情報生成手段４４１によって特定された搬送機関名を、搬送機関名７６として表示させる。なお、電子ペン１ｂのペンＩＤに基づいて搬送機関名７６の情報を生成する代わりに、トリアージタグ２の搬送機関名記入欄２ｈへの電子ペン１による記入に対応する記入情報に基づいて、搬送機関名７６の情報を生成しても良い。この場合、搬送機関名記入欄２ｈに電子ペン１で記入された手書きストロークをそのまま搬送機関名７６として表示させても良いし、当該手書きストロークに対して文字認識処理を行うことで得られた文字を搬送機関名７６として表示させても良い。
【００７１】
医療機関名７７については、情報生成手段４４１は、搬送機関で使用される電子ペン１ｂによる記入情報が通信手段４７により受信された際に、その記入情報に基づいて医療機関名７７の情報を生成する。具体的には、情報生成手段４４１は、トリアージタグ２の収容医療機関名記入欄２ｉに電子ペン１ｂで記入された手書きストロークに対して文字認識処理を行うことで、これらの情報を生成する。そして、表示制御手段４４２は、情報生成手段４４１による文字認識処理によって得られた文字を、医療機関名７７として表示させる。なお、収容医療機関名記入欄２ｉに記入された手書きストロークに対して文字認識処理を行うことで得られた文字の代わりに、当該手書きストロークをそのまま医療機関名７７として表示させても良い。
【００７２】
上記したように生成された医療機関名７７が表示された後、情報生成手段４４１は、医療機関で使用される電子ペン１ｃによる記入情報が通信手段４７により受信された際に、その記入情報に基づいて医療機関名７７の情報を生成する。つまり、電子ペン１ｂによる記入情報に基づいて生成した医療機関名７７の情報を、電子ペン１ｃによる記入情報に基づいて生成した医療機関名７７の情報によって更新する。具体的には、情報生成手段４４１は、記憶手段４５に記憶された医療機関名情報を参照して、電子ペン１ｃによって生成された記入情報に含まれるペンＩＤに対応する医療機関名を特定することで、医療機関名７７の情報を生成する。そして、表示制御手段４４２は、こうして情報生成手段４４１によって特定された医療機関名を、医療機関名７７として表示させる。このようにしているのは、基本的には、搬送機関の救急隊員から医療機関への連絡で収容する医療機関が決定し、この際に救急隊員が電子ペン１ｂで収容医療機関名記入欄２ｉに記入を行うが、当該記入後において、収容する医療機関が変更される場合もあるからである。
【００７３】
ステータス７８については、情報生成手段４４１は、記憶手段４５に記憶されたステータス情報を参照して、通信手段４７によって受信された記入情報に含まれるペンＩＤに応じたステータス７８の情報を生成する。具体的には、情報生成手段４４１は、現場で使用される電子ペン１ａに対応するペンＩＤを含む記入情報が通信手段４７により受信された際に、「一次トリアージ完了」又は「二次トリアージ完了」にステータス７８を設定する。この場合、情報生成手段４４１は、記入情報がトリアージタグ２の一次トリアージ実施エリア２ｊへの記入に対応する情報である場合、ないしは電子ペン１ａによって送信ボックス２ｋがタップされた場合には、「一次トリアージ完了」にステータス７８を設定する。これに対して、情報生成手段４４１は、記入情報がトリアージタグ２の二次トリアージ実施エリア２ｐへの記入に対応する情報である場合、ないしは電子ペン１ａによって送信ボックス２ｑがタップされた場合には、「二次トリアージ完了」にステータス７８を設定する。
【００７４】
また、情報生成手段４４１は、搬送機関で使用される電子ペン１ｂに対応するペンＩＤを含む記入情報が通信手段４７により受信された際に、「搬送中」にステータス７８を設定する。更に、情報生成手段４４１は、医療機関で使用される電子ペン１ｃに対応するペンＩＤを含む記入情報が通信手段４７により受信された際に、「収容完了」にステータス７８を設定する。そして、表示制御手段４４２は、このようにして情報生成手段４４１によって設定されたステータス７８を表示させる。
【００７５】
なお、記入情報に含まれるペンＩＤに応じた表示態様にて、上記したような傷病者搬送情報を表示させても良い。例えば、表示制御手段４４２は、電子ペン１ａ〜１ｃに対応するペンＩＤのそれぞれで異なる色を設定し、電子ペン１によって記入された手書きストロークを、そのペンＩＤに応じた色で描画させることができる。これにより、傷病者のステータス（搬送状況）を容易に把握させることが可能となる。ここで、異なる搬送機関が使用する電子ペン１ｂでは、電子ペンによってペンＩＤは異なるが、表示制御手段４４２は、搬送機関が使用する電子ペン１ｂによる手書きストロークであれば、同じ色を設定してもよいし、ペンＩＤによって異なる色を設定してもよい。同様に、異なる医療機関が使用する電子ペン１ｃでは、電子ペンによってペンＩＤは異なるが、表示制御手段４４２は、医療機関が使用する電子ペン１ｃによる手書きストロークであれば、同じ色を設定してもよいし、ペンＩＤによって異なる色を設定してもよい。
【００７６】
なお、傷病者搬送情報画面に表示された複数の傷病者の中から、利用者によって一の傷病者が選択された場合に、その傷病者についてトリアージタグ２に記入された手書きストロークを表示させても良い。具体的には、表示制御手段４４２は、トリアージタグ２に対応する画像（表側及び裏側の両方又は一方を示す画像）上に手書きストロークを描画した画面を表示させることができる。例えば、表示制御手段４４２は、電子ペン１ａ〜１ｃに対応するペンＩＤのそれぞれで異なる色を設定し、電子ペン１によって記入された手書きストロークを、そのペンＩＤに応じた色で描画させることができる。この場合も、異なる搬送機関が使用する電子ペン１ｂでは、電子ペンによってペンＩＤは異なるが、表示制御手段４４２は、搬送機関が使用する電子ペン１ｂによる手書きストロークであれば、同じ色を設定してもよいし、ペンＩＤによって異なる色を設定してもよい。同様に、異なる医療機関が使用する電子ペン１ｃでは、電子ペンによってペンＩＤは異なるが、表示制御手段４４２は、医療機関が使用する電子ペン１ｃによる手書きストロークであれば、同じ色を設定してもよいし、ペンＩＤによって異なる色を設定してもよい。
【００７７】
なお、図７に示したようなステータス７８を生成せず、表示しなくても良い。これは、傷病者搬送情報からステータス７８を除いた情報によっても、傷病者の搬送状況が分かるからである。具体的には、トリアージ区分７１や、傷病者の氏名７２や、傷病者の年齢７３や、傷病者の性別７４や、トリアージ実施月日・時刻７５が表示されていれば、少なくともトリアージが実施されたことが分かる。また、搬送機関名７６が表示され、医療機関名７７が表示されていなければ、傷病者が搬送中であることが分かる。また、医療機関名７７が表示されていれば、医療機関への傷病者の収容が完了したことがわかる。
【００７８】
［本実施形態による作用効果］
以上説明した本実施形態によれば、電子ペン１のペンＩＤに基づいて、傷病者を現場から医療機関に収容するまでの状況に応じた傷病者搬送情報を適切に生成することができる。そして、このような傷病者搬送情報を表示させることで、傷病者の搬送状況を容易に把握させることが可能となる。
【００７９】
［変形例］
以下では、上記した実施形態の変形例について説明する。なお、下記の変形例は、任意に組み合わせて実施形態に適用することができる。
【００８０】
（変形例１）
図７に示したような情報を傷病者搬送情報として用いることに限定はされない。他の例では、傷病者を搬送した時刻（例えば搬送を開始した時刻）を、傷病者搬送情報に含めることができる。この場合、情報生成手段４４１は、搬送機関で使用される電子ペン１ｂによるトリアージタグ２への記入に対応する記入情報において、最初の記入情報（最初の記入情報に限定されず、電子ペン１ｂによるトリアージタグ２への記入開始付近の記入情報でも良い）に含まれる時刻情報に基づいて、傷病者を搬送した時刻の情報を生成することができる。若しくは、トリアージタグ２に傷病者を搬送した時刻を記入するための記入欄（以下では「搬送時刻記入欄」と呼ぶ。）を設けておけば、情報生成手段４４１は、搬送時刻記入欄への電子ペン１ｂによる記入に対応する記入情報に基づいて、傷病者を搬送した時刻の情報を生成することができる。この場合、搬送時刻記入欄に電子ペン１ｂで記入された手書きストロークをそのまま表示させても良いし、当該手書きストロークに対して文字認識処理を行うことで得られた文字を表示させても良い。
【００８１】
更に他の例では、傷病者の収容が完了した時刻を、傷病者搬送情報に含めることができる。この場合、情報生成手段４４１は、医療機関で使用される電子ペン１ｃによるトリアージタグ２への記入に対応する記入情報において、最初の記入情報（最初の記入情報に限定されず、電子ペン１ｃによるトリアージタグ２への記入開始付近の記入情報でも良い）に含まれる時刻情報に基づいて、収容が完了した時刻の情報を生成することができる。若しくは、トリアージタグ２に傷病者の収容が完了した時刻を記入するための記入欄（以下では「収容時刻記入欄」と呼ぶ。）を設けておけば、情報生成手段４４１は、収容時刻記入欄への電子ペン１ｃによる記入に対応する記入情報に基づいて、収容が完了した時刻の情報を生成することができる。この場合、収容時刻記入欄に電子ペン１ｃで記入された手書きストロークをそのまま表示させても良いし、当該手書きストロークに対して文字認識処理を行うことで得られた文字を表示させても良い。
【００８２】
（変形例２）
上記では、現場で使用される電子ペン１ａ、搬送機関で使用される電子ペン１ｂ、及び医療機関で使用される電子ペン１ｃから成るシステムに本発明を適用した実施形態を示した。本発明は、このようなシステムへの適用に限定はされず、医療機関で使用される電子ペン１ｃを有しない、現場で使用される電子ペン１ａ及び搬送機関で使用される電子ペン１ｂから成るシステムに対しても適用することができる。この場合にも、情報生成手段４４１は、電子ペン１ａ、１ｂのペンＩＤに基づいて、上記したような傷病者搬送情報を生成することができる。具体的には、情報生成手段４４１は、トリアージ区分７１や、傷病者の氏名７２や、傷病者の年齢７３や、傷病者の性別７４や、トリアージ実施月日・時刻７５や、搬送機関名７６や、医療機関名７７や、ステータス７８といった傷病者搬送情報を生成することができる。但し、この場合には、医療機関名７７は、トリアージタグ２の収容医療機関名記入欄２ｉに記入された情報となり、ステータス７８は、「収容完了」を除いた、「一次トリアージ完了」、「二次トリアージ完了」及び「搬送中」のみとなる。
【００８３】
（変形例３）
上記では、現場で使用される電子ペン１ａと搬送機関で使用される電子ペン１ｂとを区別していたが、これらを区別しなくても良い。つまり、現場と搬送機関とで電子ペン１のペンＩＤを区別しなくても良い。これは、搬送機関の救急隊員が、現場でトリアージタグ２に電子ペン１で記入する場合があるからである。この場合にも、情報生成手段４４１は、電子ペン１を用いた救急隊員による現場での記入に対応する記入情報に基づいて、上記したような傷病者搬送情報を生成することができる。具体的には、情報生成手段４４１は、トリアージ区分７１や、傷病者の氏名７２や、傷病者の年齢７３や、傷病者の性別７４や、トリアージ実施月日・時刻７５や、搬送機関名７６や、医療機関名７７や、ステータス７８といった傷病者搬送情報を生成することができる。ステータス７８については、現場及び搬送中における救急隊員による電子ペン１での記入に対応する記入情報に基づいて、「一次トリアージ完了」、「二次トリアージ完了」及び「搬送中」といったステータスを生成することができ、医療機関による電子ペン１での記入に対応する記入情報に基づいて、「収容完了」といったステータスを生成することができる。
【００８４】
（変形例４）
上記では、電子ペン、ドットパターン（コード化パターン）、記入情報に、アノト方式を用いていたが、アノト方式を用いることに限定はされない。
【符号の説明】
【００８５】
１（１ａ、１ｂ、１ｃ）…電子ペン
２…トリアージタグ
３（３ａ、３ｂ、３ｃ）…携帯端末
４…サーバ装置
５、６…コンピュータ装置
１０…救急医療支援システム
【図３】
0005884615.tif 000002
【図４】
0005884615.tif 000003
【図５】
0005884615.tif 000004
【図６】
0005884615.tif 000005
【図１】
0005884615.tif 000006
【図２】
0005884615.tif 000007
【図７】
0005884615.tif 000008